(57)【要約】      （修正有）【課題】航空機の客室など様々なエリアを除染するための移動式除染装置、及びそのような装置を使用する方法の提供。【解決手段】少なくとも１つのエアロゾル散布ノズルと少なくとも１つのエアロゾル配向ファンを備える移動式除染装置であって、ノズルは殺菌剤をエアロゾルの形態で散布し、ファンはこのエアロゾルを除染される表面に向け、ノズル及びファンの向き、散布速度、ファン速度などのエアロゾル散布パラメータは、エリアの特性に基づいて決定される。種々の表面の向き、温度、湿度、及び／又は他の同様の特性が考慮され、幾つかの特性は、移動式除染装置をエリア内に配置した後に、そのセンサを使用するなどして取得され、エリアのレイアウトなど、その他の特性は移動式除染装置を配置する前にあらかじめ読込まれ、散布パラメータはエリア内の表面の完全な除染を保証するように決定される移動式除染装置、及びそのような装置を使用する方法。【選択図】なし【特許請求の範囲】
【請求項１】
エリア（１００）を除染するための方法であって、前記方法は、
エアロゾル散布ノズル（３２２）とエアロゾル配向ファン（３２４）を備える移動式除染装置（３００）を前記エリア（１００）内に配置すること、
エリア特性（１０２）に基づいて、前記移動式除染装置（３００）のエアロゾル散布パラメータ（３０５）を決定すること、
前記エアロゾル散布ノズル（３２２）を使用して、前記エアロゾル散布パラメータ（３０５）に従って、除染剤飛沫（３１７）を含むエアロゾルの形態で散布される除染剤（３１５）を前記エリア（１００）内に自動的に散布すること、
エアロゾル配向ファン（３２４）を使用して、前記エアロゾル散布パラメータ（３０５）に従って、前記除染剤飛沫（３１７）を前記エリア（１００）内の表面に向けること
を含み、
そのエリア特性（１０２）は前記移動式除染装置（３００）のセンサ（３２８）を使用して取得され、そのエリア特性（１０２）は除染される前記エリア（１００）に関する未知の情報を含み、
そのエリア特性（１０２）は前記センサ（３２８）によって、前記移動式除染装置（３００）の装置コントローラ（３０２）まで送信され、
その装置コントローラ（３０２）はその後、前記センサ（３２８）によって送信された前記エリア特性に基づいて、前記エアロゾル散布パラメータ（３０５）を決定する
方法。
【請求項２】
除染される前記エリア（１００）の一又は複数の特性の少なくとも一部は、前記移動式除染装置（３００）のデータベース（３０４）に保存されており、前記エリア（１００）の一又は複数の特性の一部は前記データベース（３０４）から前記装置コントローラ（３０２）に送信され、前記装置コントローラ（３０３）は、前記センサ（３２８）から受信した前記エリア特性（１０２）、並びに前記データベース（３０４）に保存されている前記エリア（１００）の一又は複数の特性の一部に基づいて、前記エアロゾル散布パラメータ（３０５）を決定する、請求項１に記載の方法。
【請求項３】
前記装置コントローラ（３０２）は、前記エリア特性（１０２）などの情報を通信モジュール（３０６）と交換し、次に前記情報は遠隔装置（２１０）及び／又は他の移動式除染装置（３００）と交換される、請求項１又は２に記載の方法。
【請求項４】
前記装置コントローラ（３０２）、前記通信モジュール（３０６）及び／又は前記データベース（３０４）はコンピュータシステムに組み込まれる、請求項３に記載の方法。
【請求項５】
前記エアロゾル散布パラメータ（３０５）を決定することは、除染剤特性に基づいて更に実行される、請求項１から４のいずれか一項に記載の方法。
【請求項６】
前記エリア特性（１０２）は、湿度、温度、汚染の種類、及び前記エリア（１００）内の前記表面（１１０）の向きのうちの少なくとも１つを含む、請求項１から５のいずれか一項に記載の方法。
【請求項７】
前記エアロゾル散布パラメータ（３０５）を決定することは更に、前記エリア特性（１０２）を設定範囲内まで、例えば、所定の許容しうる除染範囲内まで変化させることを含み、これによって前記エアロゾル散布パラメータを決定することは、前記エリア特性が変更されるまでは完了せず、前記設定範囲内にある、請求項１から６のいずれか一項に記載の方法。
【請求項８】
前記エリア特性（１０２）を変更することは、前記移動式除染装置（３００）の外部で、遠隔装置（２１０）を操作することを含む、請求項３から７のいずれか一項に記載の方法。
【請求項９】
前記エリア特性（１０２）を変更することは更に、前記移動式除染装置（３００）から前記遠隔装置（２１０）まで制御命令を送信することを含む、請求項８に記載の方法。
【請求項１０】
前記エリア（１００）は航空機の客室である、請求項１から９のいずれか一項に記載の方法。
【請求項１１】
エリア（１００）を除染するための移動式除染装置（３００）であって、
前記エリア（１００）の周辺で前記移動式除染装置（３００）を移動するように動作可能な移動モジュール（３１２）を備えるベース部分（３１０）と、
前記ベース部分（３１０）に動作可能に連結されたヘッド部分（３２０）と、
前記エリア（１００）内で除染剤（３１５）を除染剤飛沫（３１７）を含むエアロゾルの形態で散布するように動作可能なエアロゾル散布ノズル（３２２）と、
前記除染剤飛沫（３１７）を前記エリア（１００）の表面（１１０）に向けるように動作可能なエアロゾル配向ファン（３２４）と、
除染される前記エリア（１００）のエリア特性（１０２）であり、除染される前記エリア（１００）に関する未知の情報を含むエリア特性（１０２）を検知するためのセンサ（３２８）であって、通信を行うセンサ（３２８）と、
前記エリア特性に基づいてエアロゾル散布パラメータ（３０５）を決定し、前記エアロゾル散布ノズル（３２２）、前記エアロゾル配向ファン（３２４）、及び前記移動モジュール（３１２）の作業を制御するように動作可能な装置コントローラ（３０２）と
を備える移動式除染装置（３００）。
【請求項１２】
前記エリア特性（１０２）の少なくとも一部を含むデータベース（３０４）を更に備える、請求項１１に記載の移動式除染装置。
【請求項１３】
前記移動モジュール（３１２）は、前記エリア（１００）から取得された前記エリア特性（１０２）に基づいて、前記装置コントローラ（３０２）によって制御可能である、請求項１１又は１２に記載の移動式除染装置。
【請求項１４】
遠隔装置（２１０）及び／又は他の移動式除染装置（３００）など、他の装置と情報を交換するための通信モジュール（３０６）を更に備える、請求項１１から１３のいずれか一項に記載の移動式除染装置。
【請求項１５】
前記装置コントローラ（３０２）、前記通信モジュール（３０６）及び／又は前記データベース（３０４）はコンピュータシステムに組み込まれる、請求項１４に記載の移動式除染装置。
【発明の詳細な説明】
【技術分野】
【０００１】
本開示は複雑なエリアの除染に関し、より具体的には、航空機の客室にようにアクセスが困難な表面を有するエリアを自動的に除染する方法及びシステムに関する。
【背景技術】
【０００２】
汚染物質は様々なエリアに持ち込まれ、或いは現われて、そのエリアをその後の使用に適さないものにすることがある。例えば、空の旅やその他の形態の旅、並びに新しい目的地の人気が高まるにつれて、感染症の伝播が劇的に高まってきている。汚染の種類やレベルによっては、空気ろ過、さらには露出面を殺菌剤で拭き取ることによってコントロールしうる。しかしながら、このような方法は費用も時間もかかり、人（例えば、清掃員）を汚染物質及び／又は除去剤に曝し、思いもよらぬ結果をもたらすことがありうる。例えば、近年の航空機の多くは、アクセスが困難な多数の表面を有する大きな客室を備えているため、短い駐機時間内の完全な除染を行うことは困難になっている。多くの隠れた表面や小さな空洞は手つかずのままになり、かなりの量の汚染物質が残りうる。更に、生物学的病原菌の多くは室温では相当な回復力があるため、過酸化水素及び／又は酸など、高濃度の強い化学薬品を必要とするが、これらは一部の表面には望ましくない。
【０００３】
除染剤を散布する方法及びシステムは、ＵＳ２０１１／０１７１０６５Ａ１に開示されている。
【発明の概要】
【０００４】
航空機の客室など、様々なエリアを除染するための移動式除染装置、及びそのような装置を使用する方法が提示される。
【０００５】
移動式除染装置は、少なくとも１つのエアロゾル散布ノズルと少なくとも１つのエアロゾル配向ファンを備える。ノズルは殺菌剤をエアロゾルの形態で散布し、一方、ファンはエアロゾルを除染対象の表面に向ける。ノズル及びファンの配向、散布速度、ファン速度などのエアロゾル散布パラメータは、エリアの特性に基づいて決定される。特に、種々の表面の向き、温度、湿度などの特性が考慮されうる。一部の特性は、移動式除染装置をエリア内に配置した後に、例えば、その装置のセンサを使用して取得される。エリアのレイアウトなど、その他の特性は、移動式除染装置を配置する前にあらかじめ読込まれてもよい。散布パラメータは、エリア内の表面の完全な除染を保証するように決定される。
【０００６】
エリアの除染方法は、エリア内での移動式除染装置を配置すること、エアロゾル散布パラメータを決定すること、除染剤飛沫の形態で除染剤を散布すること、及び除染剤飛沫をエリア内の表面に向けることを含む。移動式除染装置は、エアロゾル散布ノズル及びエアロゾル配向ファンを備える。エアロゾル散布ノズルは、除染剤の散布に使用されうる。特に、除染剤は除染剤飛沫を含むエアロゾルの形態で散布することができる。更に、除染剤は、エリア特性に基づいて決定されるエアロゾル散布パラメータに従って散布することができる。エアロゾル配向ファンは、除染剤飛沫を表面に向けるように使用することができる。
【０００７】
エアロゾル散布パラメータの決定は更に、除染剤の特性に基づいて決定されうるが、これは除染剤特性と称されることがある。これらの除染剤特性は、エアロゾル散布パラメータを決定するため、エリア特性と共に使用されうる。除染剤特性は、密度、表面張力、組成などを含みうる。
【０００８】
エアロゾル散布パラメータの決定は、エリア特性の取得を含む。このようなエリア特性の幾つかの実施例には、当該エリアの湿度、当該エリアの温度、汚染物質の種類、表面の向きなどが含まれる。エリア特性は、移動式除染装置のセンサを使用して得られる。このエリア特性の位置を取得することにより、エリアに関する一部の情報が不明であっても、移動式除染装置の使用が可能になる。例えば、エリアの温度は最初は不明のこともあれば、除染工程の間に変化することもありうる。温度は、移動式除染装置によって、或いは温度センサを介して現場でモニタされてもよい。
【０００９】
エリア特性は移動式除染装置のデータベースに保存することもできる。例えば、データベースは、エリアのレイアウト、表面の状態、及び／又は予測された環境条件（例えば、湿度、温度）と共にあらかじめ読み込まれてもよい。データベースに保存されたエリア特性は、移動式除染装置によって現場で取得された付加的なエリア特性と組み合わせられうる。幾つかのエリア特性及び／又は調剤パラメータは、例えば、当該エリアに提供されたセンサ、外部コントローラなどの外部装置から移動式除染装置へ送信されうる。同様に、移動式除染装置は幾つかの特性及び／又は調剤パラメータを外部装置へ送信してもよい。
【００１０】
エアロゾル散布パラメータを決定する作業全般は、散布パラメータの最終決定の前に、少なくとも幾つかのエリア特性を変更することを含みうる。例えば、最初の段階では、一部のエリア特性は効果的な除染を行うための準最適値であってもよく、例えば、温度は低すぎることもあれば高すぎることもある。このようなエリア特性は、設定範囲内、例えば、除染を許容しうる範囲内に変更されうる。エアロゾル散布パラメータを決定する作業は、エリア特性が変更され、設定範囲内に収まるまで完了されないことがある。別の態様では、最初のエアロゾル散布パラメータは決定されうるが、その処理は除染剤の散布と共に継続されてもよく、その間、エリア特性は変化する。エリア特性に対する変更が完了すると、新しいエアロゾル散布パラメータが決定されうる。
【００１１】
エリア特性の変更は、移動式除染装置の外部にある遠隔装置の操作を含みうる。移動式除染装置は、エリア特性の変更を実行するため、遠隔装置に命令を送ってもよい。遠隔装置は、加熱換気空調（ＨＶＡＣ）装置、加湿器、オゾン発生装置などを含む。遠隔装置は、エリア特性を変更するために動作可能になりうる移動式除染装置のコンポーネントとは区別されなければならない。例えば、遠隔装置は、移動式除染装置のエアロゾル配向ファンに連結されたヒーターとは異なるヒーターになりうる。
【００１２】
エアロゾル散布パラメータの決定は、移動式除染装置の装置コントローラを使用して実行される。エアロゾル散布パラメータの決定は、遠隔的に（例えば、遠隔装置によって）実行されてもよく、その後移動式除染装置に送信される。例えば、遠隔装置はそれ自体のコントローラを有してもよい。エアロゾル散布パラメータの初期設定は移動式除染装置に送信されてもよく、幾つかの実施例では更に、例えば、現場で得られたエリア特性に基づいて、移動式除染装置で修正されうる。
【００１３】
本発明の具体的な利点は、エリア特性がセンサに登録されており、センサは次にこれらのエリア特性を装置コントローラに送信し、その後エアロゾル散布パラメータを決定し、除染剤の散布を制御するため、除染中に移動式装置を手動で操作する必要なくエリア除染が実行可能なことである。
【００１４】
しかしながら、除染剤のエリア散布のため車輪付きカートを開示するＵＳ２０１１／０１７１０６５Ａ１は、アクセスが困難なエリアの手動散布には、残存エリアに対処する除染剤を散布する自動蒸気スプレーとの組み合わせが依然として求められていることを開示している。ＵＳ２０１１／０１７１０６５Ａ１は、除染対象エリアの特性を自動的に検知し、その結果、これらの特性が次にそれを解析するコントローラに提供され、その解析に基づいてエアロゾル散布パラメータを決定することができるシステムを開示していない。
【００１５】
本発明により、エアロゾル散布パラメータの決定に続いて、除染剤の自動散布はコントローラによって、或いはオプションによりコントローラに指示を与えるプロセッサなど、コントローラに接続された外部装置によって、制御することができる。このように、航空機の座席ポケットなど、アクセスが困難なエリアを除染するため、除染対象エリアに人が入る必要はない。
【００１６】
本方法は更に、移動式除染装置をエリア内で移動させることを含む。例えば、移動式除染装置はエリアの他の部分に移動されてもよく、これによって、より大きなエリアの除染が可能になる。更に、移動式除染装置は、エリア内の表面に対してエアロゾル散布ノズル及びエアロゾル配向ファンの向きを変えるため、エリアの範囲内で動かされてもよい。例えば、移動式除染装置は、散布により適した角度を提供するため、及び／又は除染剤をより一様に散布するため、回転してもよい。
【００１７】
エリア内での移動式除染装置の移動は、除染剤の散布中に実行されうる。換言するならば、移動作業は除染剤の散布作業と重なってもよい。この機能により、散布作業の連続性を保証し、除染の一様性を高め、処理全体の速度を向上させる。
【００１８】
更には、エリア内での移動式除染装置の移動は、エリア特性に基づいて自動的に実行されてもよい。例えば、移動式除染装置は、（例えば、オペレータからの）内部的な支援なしで移動式除染装置を動かすことができる移動モジュールを含みうる。この機能により、エリア内の潜在的な汚染物質及び／又は除染剤に人が曝されるのを回避することができる。
【００１９】
本方法は更に、エアロゾル散布パラメータを変更することを含みうる。これは、以下のパラメータ、すなわち、エリアに対するエアロゾル散布ノズルの向き、エリアに対するエアロゾル配向ファンの向き、ファンの速度、散布速度など、のうちの一又は複数を変更することを含みうる。このような変更は、エリアのある部分から別の部分へのエリア特性の変化に対応するために実行されうる。幾つかの実施例では、エアロゾル散布ノズルの向きは、除染剤の散布中、例えば、ある表面から別の表面への移動中に変更されうる。
【００２０】
エアロゾル散布パラメータの変更は、エアロゾル散布ノズルの向きの変更とエアロゾル配向ファンの向きの変更の両方を含みうる。移動式除染装置は、エアロゾル散布ノズルの向きとエアロゾル配向ファンの向きとの間のある種の関係を維持してもよい。例えば、エアロゾル散布ノズルの向きとエアロゾル配向ファンの向きの両方を変更することは、移動式除染装置のベース部分に対する移動式除染装置のヘッド部分の向きを変えることを含む。ヘッド部分は、エアロゾル散布ノズルとエアロゾル配向ファンとを備えている（また、支持している）。換言するならば、ヘッド部分がベース部分に対して（当該エリアに対しても）その向きを変えるときには、エリアに対するノズルとファンの向きも変化する。ベース部分に対してヘッド部分の向きを変えることは、ベース部分に対してヘッド部分を引き上げること、及び／又はベース部分に対してヘッド部分を回転することを含みうる。ベース部分は、例えば、エリア内で移動式除染装置を移動することによって、エリアに対する向きも変えうることに留意されたい。このベース部分の向きの変更は、移動式除染装置全体、並びに任意のノズルやファンを含むコンポーネントすべての向きを換える。
【００２１】
除染剤飛沫を表面に向けることは、除染剤飛沫の周囲に乱気流を形成することを含みうる。乱気流はエアロゾル配向ファンによって形成されうる。乱気流は、少なくとも部分的には遠隔装置によって形成されうる。
【００２２】
エリア内で除染剤を散布することと、除染剤飛沫を表面に向けることとは、時間的に重なりうる。特に、エアロゾル配向ファンは、除染剤の散布中に（例えば、常に）操作可能であってもよい。エアロゾル配向ファンによって生成される流れは、除染剤飛沫を方向付けし、ファンが使用されない場合（例えば、静止空気中で除染剤飛沫の散布）よりも遠くへ除染剤飛沫を運ぶのに役立つ。
【００２３】
エアロゾル散布パラメータを決定することは、エリア内の表面の向きに基づいて、エアロゾル散布ノズルの向き、及び／又はエアロゾル配向ファンの向きを決定することを含みうる。このノズルとファンと表面の向きの関係性は、すべての表面が適切な量の除染剤を確実に得るために使用されうる。
【００２４】
本方法は更に、エリア内の表面の向きを得ることを含みうる。この作業は、移動式除染装置のカメラを使用して実行されうる。代替的に、又は追加的に、この情報は移動式除染装置のデータベースから読み出されてもよい。換言するならば、データベースは少なくとも幾つかのエリア特性を含んでもよく、これらはエリア内に移動式除染装置を配置する前にデータベースに追加されてもよい。
【００２５】
エアロゾル散布パラメータは、エアロゾル配向ファンによって配向される空気の温度傾斜プロファイルを含みうる。温度傾斜プロファイルは直線的であってもよい。
【００２６】
本方法は更に、エリア内で除染剤を散布している間に、移動式除染装置に除染剤を供給することを含む。例えば、移動式除染装置は、除染剤貯蔵容器を有する遠隔装置に連結されてもよい。内蔵型の貯蔵容器を取り除き、除染剤を外部から供給することで、移動式除染装置の重量は減らすことができる。一方、テザー（ｔｅｔｈｅｒ）がなく、内蔵型の除染剤貯蔵モジュールを有する移動式除染装置は、テザーによって移動式除染装置の移動範囲、向き、及び他の移動特性が制限されることがないため、エリア内での可動性が高まりうる。
【００２７】
移動式除染装置による除染エリアは、航空機の客室であってもよい。航空機の客室は、長時間（例えば、長時間の飛行）にわたって使用される人口密度の高い閉鎖エリアである。更に、航空機の客室には材質の異なる多種多様な表面があるため、除染処理が特に困難になる。
【００２８】
また、エリアの除染のため、移動式除染装置は、好ましくは記述される方法によって提供される。移動式除染装置は、ベース部分、ヘッド部分、エアロゾル散布ノズル、及びエアロゾル配向ファンを備える。ベース部分は、当該エリアの周囲及び少なくともその内部で移動式除染装置を移動させるように操作可能な移動モジュールを備える。ヘッド部分は、ベース部分に移動可能なように連結されうる。エアロゾル散布ノズルは、除染剤をエリア内において除染剤飛沫を含むエアロゾルの形態で散布するように、動作可能になりうる。エアロゾル配向ファンは、除染剤の除染剤飛沫をエリア内の表面に向けるように動作可能になりうる。
【００２９】
移動式除染装置は更に、装置コントローラを含む。装置コントローラは、センサから受信したエリア特性に基づいて、エアロゾル散布パラメータを決定する。更に、装置コントローラは、エアロゾル散布ノズル、エアロゾル配向ファン、及び移動モジュールの作業を制御する。
【００３０】
移動式除染装置は更に、エリア特性の少なくとも一部を含むデータベースを備える。換言するならば、エリア特性の少なくとも一部は移動式除染装置に局所的に保存されうる。このような特性の一例がエリアレイアウトである。付加的な特性は、移動式除染装置に送信されてもよく、及び／又は、エリア内に配置された後に移動式除染装置によって取得されてもよい。例えば、移動式除染装置は更に、生物学センサ、化学センサ、温度センサ、湿度センサ、及びカメラからなる群から選択されたセンサを含みうる。センサは、エリア特性を取得して、そのエリア特性をあとで使用するために、例えば、調剤パラメータを決定するために、装置コントローラに送信するように動作可能であってよい。
【００３１】
移動モジュールは、エリアから取得したエリア特性に基づいて、装置コントローラによって制御可能であってよい。例えば、装置コントローラは、エリア内で移動式除染装置の位置を変更し、これらの変化を実装する移動モジュールを制御するように選択しうる。
【００３２】
エアロゾル散布ノズルとエアロゾル配向ファンは、少なくともベース部分に対して移動可能であってよい。例えば、エアロゾル散布ノズルとエアロゾル配向ファンは、ベース部分に対して引き上げ可能、及び／又は回転可能になりうる、ヘッド部分に配置されうる。更に、エアロゾル散布ノズルとエアロゾル配向ファンは、ヘッド部分に対してその向きを変更しうる。
【００３３】
エアロゾル散布ノズルとエアロゾル配向ファンは、移動式除染装置の中心軸に対して枢動可能（又は、傾斜可能）になりうる。エアロゾル散布ノズルとエアロゾル配向ファンは、移動式除染装置の中心軸の周りに回転可能になりうる。
【００３４】
移動式除染装置は更に、電力線、送気管、通信線、及び除染剤供給管からなる群から選択されるテザーを接続するためのコネクタを備えることができる。移動式除染装置は、除染剤貯蔵モジュールを含みうる。移動式除染装置は更に、エリアのシステムと通信するための通信モジュールを備える。
【００３５】
発明者らは、航空機の客室など、ターゲットエリア又は空間の除染の効率は、ターゲット空間／エリアの幾何形状及び表面特性に密接に関係していると判断した。
【００３６】
本発明の除染システムは、状況の情報に基づいて、除染システムの散布パラメータを調節する。
【００３７】
このような状況の情報をリアルタイムで収集する手段には、例えば、装置のセンサと協働する以下のものが含まれる。
−情報と幾何形状を記録する３Ｄカメラ。この情報は、除染システムによって散布されるエアロゾル化された除染剤の軌跡をシミュレートするため、ＣＦＤソフトウェアと連動して使用される。
−除染対象のエリア内に配置される試験片。試験片は、その表面上に堆積する除染剤の量を測定するためのマイクロ流体工学センサ、及び除染システムにこの情報をリレーすることができる無線回路を有し、小型ドローンによって配置可能である。
−小型ドローンは、空気中の除染剤の量、及びエアロゾル化された除染剤を運ぶ気流の量をサンプリングするため、その表面上にマイクロ流体工学センサを備えている。
−小型フォトニクスを使用する（可視光波長及びＵＶ波長での）高解像度視覚システムは、表面上に液膜又は丸い液滴があるかどうかを検出するため、表面上の液散布のパターンを表示することができる。このような膜／液滴は、堆積した除染剤の不均一（過小又は過剰）な分布を含む、表面の疎水性／親水性を示す。
【００３８】
除染剤システムの性能を最適化する付加的な手段には以下が含まれうる。
−除染されるターゲット空間／エリアの構造的情報、及び使用条件（例えば、新しい清潔な表面、或いは汚れている表面など）。
−ミニチュアドローンは、手が届きにくいエリアの（手で触れるのと同等の）局所的な最適化のため、小型の散布装置を備えてもよい。
【００３９】
付加的な態様は、システムによって散布されるエアロゾル化された飛沫のサイズに関連している。
【００４０】
極めて小さい飛沫（霧状のエアロゾル）は、空中で長い持続（浮遊）時間を有する。
【００４１】
これらは、除染システムによって生成される気流によって、容易に散布されうる。
【００４２】
大きな飛沫も気流によって運ばれうるが、重力の影響によって、これらは表面上に早く堆積し、また、霧状の飛沫の堆積を促進する。
【００４３】
飛沫のサイズ、及びこれを運ぶ気流の強さと指向性を変えることは、表面上への除染剤の堆積の最適化に役立ちうる。
【００４４】
上述の特徴及び機能は、以下の説明及び図面を参照して理解することができる。
【図面の簡単な説明】
【００４５】
【図１Ａ】（航空機の客室として示されている）エリア内に配置される移動式除染装置の概略図である。
【図１Ｂ】（航空機の客室として示されている）エリア内に配置される移動式除染装置の概略図である。
【図１Ｃ】（航空機の客室として示されている）エリア内に配置される移動式除染装置の概略図である。
【図１Ｄ】（航空機の客室として示されている）エリア内に配置される移動式除染装置の概略図である。
【図２Ａ】システムの一部として移動式除染装置の概略ブロック図である。
【図２Ｂ】エリアの遠隔装置に動作可能に連結された移動式除染装置の概略図である。
【図３Ａ】移動式除染装置の概略図である。
【図３Ｂ】移動式除染装置の概略図である。
【図３Ｃ】移動式除染装置の様々なコンポーネント間の情報の流れの概略図である。
【図４】エリアの除染の方法に対応する処理フロー図である。
【図５Ａ】表面上の除染剤液滴の画像を捉える移動式除染装置のカメラの概略図である。
【図５Ｂ】除染処理中の温度プロファイルと濃度プロファイルの概略図である。
【発明を実施するための形態】
【００４６】
下記の説明では、提示されている概念の完全な理解を提供するために、多数の具体的な詳細事項を明示する。提示されている概念は、これらの具体的な詳細事項の一部又は全部を含まずとも実践可能である。他の事例においては、記載される概念を不必要に分かりにくくしないように、周知の処理工程については詳細に記載していない。一部の概念は具体例を踏まえて説明されるが、これらの例は限定を意図するものではないことを理解されたい。
【００４７】
序論
複雑なエリアの除染は困難になることがあり、スピードが要求され、及び／又は汚染物質と除染剤に曝されるため、作業員が実行できない場合も多い。様々なエリア、例えば航空機の客室など、特に複雑なエリアの除染には、自動化された移動式除染装置及びこのような装置を使用する方法が提供される。移動式除染装置は、除染剤をエアロゾルの形態で散布し、除染剤飛沫の雲を形成するノズル（又は、インジェクタ）を含みうる。雲は「噴煙形状」を呈し、ノズルの固定的な特性、並びに除染剤の圧力及び流量など、幾つかの散布パラメータの機能にもなりうる。「噴煙形状」は、移動式除染システムの周囲のエリア内での飛沫のその後の移動と堆積を決定する。しかしながら、表面への飛沫の到達と堆積は、これらの表面を形成する対象物、並びに近傍に配置された他の対象物の具体的な幾何形状に依存する。例えば、近くの対象物は、散布された除染剤を配向する気流を妨げうる。しかも、一部の表面へのアクセスは他の対象物によって制限されうる。最終的に、エリア内の追加的な対象物は、ある種の除染剤の使用、ある種の環境条件（例えば、温度、湿度など）での動作に関する制約をもたらすことがある。このように、ノズルの固定的な「噴煙形状」からの堆積は、ターゲットの幾何形状によって影響されうる。追加的な制御を行わないと、固定的な「噴煙形状」によって、様々な表面が除染剤飛沫で一様に覆われないことがありうる。一部の表面は（これらの表面を損傷しうる）過剰な量の除染剤を受け取るが、一方、他の表面は不充分な量しか受け取れないか、或いはまったく受け取れない（汚染されたままになる）ことがありうる。
【００４８】
移動式除染装置は、様々な表面の向きなどの具体的なエリア特性に基づいて、エアロゾル散布パラメータを決定することによって、この問題に対処する。同一エリア内の種々の表面の相対的な向きは、当該エリアの除染中に、これらの表面の交差効果（ｃｒｏｓｓ−ｅｆｆｅｃｔ）の原因になりうると考えられている。例えば、エリア内で発生する気流は、幾つかの表面によって遮断されること、及び／又は向きが変えられることがありうる。移動式除染装置は、自律的に調整可能であり、再構成可能である。移動式除染装置はまた、散布角、散布量、飛沫サイズ、飛沫を運ぶ気流、温度などを制御するように動作可能である。移動式除染装置は動作エリア内で移動可能である。
【００４９】
図１Ａは、航空機の客室として示されたエリア１００内に配置された移動式除染装置３００の概略図である。航空機の客室は、人口密度が高く、汚染されうる閉鎖エリアである。しかも、航空機の客室は、除染処理を特に困難にする様々な材料から作られた、多数の異なる表面を有する。その上、航空機の客室の除染は、例えば、フライトの合間に、好ましくない化学物質が残留しないように、迅速且つ効率的な方法で実行されなければならない。
【００５０】
移動式除染装置３００は、例えば、図１Ａに示したように、同一エリア１００内に別の移動式除染装置３００と共に配置されうることに留意されたい。各移動式除染装置３００は、エリア１００の一部の除染を担当しうる。図１Ａを参照すると、左側の移動式除染装置３００は、左側列及び中央列の左部分のすべての座席の除染を担当しうる。例えば、図１Ｂの拡大図に概略的に示したように、右側の移動式除染装置３００は、右側列及び中央列の右部分のすべての座席の除染を担当しうる。この実施例では、各移動式除染装置３００は、各通路に沿って移動可能となりうる。代替的に、各移動式除染装置３００は、エリア１００全体の除染に使用されうるが、異なるエアロゾル散布パラメータを使用しうる。例えば、異なる種類の除染剤が各移動式除染装置３００で使用されうる。各移動式除染装置３００の作業は、他の装置に同期されてもよい。
【００５１】
移動式除染装置３００は、エアロゾルの形態にある除染剤３１５を除染剤飛沫３１７として散布するように動作可能である。幾つかの実施例では、図１Ｂ及び図１Ｃに概略的に示したように、移動式除染装置３００は除染剤３１５を同時に異なる方向に散布するように動作可能である。例えば、移動式除染装置３００は、移動式除染装置３００の右側の座席と左側の２つの座席に、除染剤３１５を散布するように動作されてもよい。図１Ｂ及び図１Ｃに示した実施例では、移動式除染装置３００は、除染される各種の座席から異なる距離に配置される（例えば、左端の座席は移動式除染装置３００から最も離れている）ことに留意されたい。更には、この実施例の移動式除染装置３００は、右側の１座席と左側の２座席だけに除染剤３１５を散布している。散布角、散布量、飛沫サイズ、飛沫を運ぶ気流、温度、その他のパラメータの制御により、すべての座席を一様な方法で除染することができる。
【００５２】
図１Ｃを参照すると、移動式除染装置３００はまた、エリア１００の異なる部分を垂直方向に（Ｚ軸に沿って）除染してもよい。例えば、移動式除染装置３００は、座席の下、座席の周囲、及び座席の上方を除染するように示されている。幾つかの実施例では、移動式除染装置３００は、例えば、図１Ｄに示したように、エリア１００のより高い部分にアクセスして除染を行うため、ノズルを含むヘッド部分は上方に上げてもよい。
【００５３】
以下の説明は航空機について言及しているが、本書に記載の主題は、他の種類のビークル、対象物、又はエリアに適用可能であること理解されたい。例えば、本書に記載の主題は、自動車、建物、及び／又は少なくとも汚染される可能性のあるエリアの除染に、直ちに適用されうる。したがって、以下の説明全体にわたる「航空機」への言及は、本書に記載に主題を教示する潜在的な応用の１つを示しているにすぎない。
【００５４】
本書で使用されているように、「除染」という言葉は、表面及び／又は物品の上の病原菌を除去、不活化及び／又は破壊し、その結果、病原菌が感染粒子を伝播できなくなること、及び表面及び／又は物品が安全に取扱い、使用及び／又は処理できるようになることを意味する。「病原菌」という言葉は、限定するものではないが、細菌、ウィルス、バクテリア、原生動物、菌類、及び／又は微生物を含む、疾患、病気及び／又は感染を引き起こす因子を意味する。
【００５５】
本明細書において、「１つの／ある」（「ａ」又は「ａｎ」）という語から始まる単数形の要素又はステップは、複数の要素又はステップを除外することが明示的に記載されていない限り、複数の要素又はステップを除外しないと理解されたい。更に、「一実施形態」又は「例示的な実施例」への言及は、記載されている特性を内包する追加的な実施形態の存在を除外すると解釈されることを、意図するものではない。
【００５６】
移動式除染装置の実施例
移動式除染装置３００、及び移動式除染装置３００がその一部となりうるシステム２００は、移動式除染装置３００の使用方法を説明する前に、最初に提示される。図２Ａは、移動式除染装置３００の概略ブロック図である。図２Ａに示したように、移動式除染装置３００はシステム２００の一部であってよく、このシステムは一又は複数の遠隔装置２１０など、他のコンポーネントを含みうる。遠隔装置２１０は、エリア１００内に存在してもよい。遠隔装置２１０の一例は、例えば、図２Ｂに概略的に示した加熱換気空調（ＨＶＡＣ）装置２１２である。他の実施例は、加湿器、オゾン発生装置、電源、除染剤サプライ、中央制御装置などを含む。遠隔装置２１０は、移動式除染装置３００の様々なコンポーネントとは区別されなければならない。幾つかの実施例では、システム２００は航空機の環境システムである。これらの実施例では、エリア１００は航空機の内部である。
【００５７】
遠隔装置２１０は、テザー２１９を使用して移動式除染装置３００に接続されてもよい。例えば、図２Ｂに概略的に示したように、テザー２１９によって移動式除染装置３００はエリア１００内を移動することが可能となる。この種の接続は、情報及び制御命令の交換、電力供給、除染剤３１５の受け渡しなどに使用されうる。幾つかの実施例では、遠隔装置２１０は、移動式除染装置３００に無線的に接続されてもよい。例えば、この種の接続は情報と制御命令の交換に使用されうる。幾つかの実施例では、移動式除染装置３００が遠隔装置２１０に永続的に接続されることはないが、（例えば、充電、除染剤３１５の搬送のため）移動式除染装置３００がベースに戻るときには、一時的な接続が確立されてもよい。幾つかの実施例では、移動式除染装置３００は、システム２００の一部ではなく、独立型の装置として動作する。これらの実施例では、移動式除染装置３００は独自の電源、除染剤貯蔵容器、装置コントローラ、及び／又は独立した作業を可能にするその他のコンポーネントを有しうる。
【００５８】
図３Ａ及び図３Ｂは、幾つかの実施例に従った移動式除染装置３００の概略図である。移動式除染装置３００は、ベース部分３１０及びヘッド部分３２０を含みうる。ヘッド部分３２０はベース部分３１０に動作可能に連結されうる。例えば、ヘッド部分３２０はベース部分３１０に対して上方に持ち上げられてもよく、及び／又はベース部分３１０に対して回転してもよく、例えば、移動式除染装置３００の中心軸３０９の周りに回転しうる。更に、ヘッド部分３２０は、ベース部分３１０に対して、また、中心軸３０９に対して傾斜可能であってよい。ベース部分３１０に対するヘッド部分３２０の運動は、移動式除染装置３００のヘッド位置決めシステム３１１によってもたらされうる。ベース部分３１０に対するヘッド部分３２０の可動性は、以下で更に説明されるように、除染剤３１５を特定の方法で（例えば、より一様に）散布するように利用されうる。具体的には、ヘッド部分３２０は、除染剤３１５を散布し、除染剤３１５を表面１１０に向けるように動作可能な移動式除染装置３００の様々なコンポーネントをサポートしうる。そのため、ベース部分３１０に対する（及び、エリア１００に対する）ヘッド部分の動きと向きは、以下で更に説明されるように、除染剤の散布に利用されうる。
【００５９】
移動式除染装置３００、又はより具体的にベース部分３１０は、エリア１００周辺で移動式除染装置３００を動かすように動作可能な移動モジュール３１２を含みうる。幾つかの可動性の態様は、図１Ａを参照して上記のように説明されている。例えば、移動式除染装置３００は、航空機の客室の通路に沿って移動する。
【００６０】
移動式除染装置３００又は少なくともベース部分３１０は円筒形状を有する。この形状により、移動式除染装置３００はエリア１００内を移動し、空間内の対象物に挟まることなくエリア１００内の対象物に接することができる。
【００６１】
移動式除染装置３００は、少なくとも１つのエアロゾル散布ノズル３２２及び少なくとも１つのエアロゾル配向ファン３２４を備える。本明細書はエアロゾル配向ファン３２４に言及しているが、当業者であれば、除染剤飛沫３１７の方向付けを行うため、タービン、圧搾空気ジェットなどの他の種類の装置が動作可能であることを認識するであろう。例えば、図３Ａ及び図３Ｂは、移動式除染装置３００のヘッド部分３２０の上に配置された４つのエアロゾル散布ノズル３２２と４つのエアロゾル配向ファン３２４を示している。追加のエアロゾル散布ノズル３２２が（例えば、航空機の客室座席の下に除染剤を散布するため）ベース部分３１０に示されている。各エアロゾル散布ノズル３２２は、エリア１００内で除染剤３１５を散布するように動作可能である。特に除染剤３１５は、例えば、図１Ｂ及び図１Ｃに概略的に示したように、除染剤飛沫３１７を含むエアロゾルの形態で散布される。エアロゾル配向ファン３２４は、除染剤３１５の除染剤飛沫３１７をエリア１００の表面１１０に向ける４５０ように動作可能である。
【００６２】
エアロゾル散布ノズル３２２及び／又はエアロゾル配向ファン３２４は、少なくともベース部分３１０に対して可動であってよい。エアロゾル散布ノズル３２２とエアロゾル配向ファン３２４は、ベース部分３１０に対してそれぞれ独立に可動であってよい。代替的に、エアロゾル散布ノズル３２２とエアロゾル配向ファン３２４は、組になって一緒に動かされてもよい。例えば、エアロゾル散布ノズル３２２とエアロゾル配向ファン３２４は、図３Ａ及び図３Ｂに示したように、ヘッド部分３２０の上に配置されてもよい。ベース部分３１０に対する（及び、エリア１００に対する）ヘッド部分３２０の運動はまた、ベース部分３１０に対する（及び、エリア１００に対する）エアロゾル散布ノズル３２２とエアロゾル配向ファン３２４の運動を引き起こす。この実施例では、ヘッド部分３２０は、例えば、ある表面１１０に到達するように、エアロゾル散布ノズル３２２とエアロゾル配向ファン３２４をエリア１００内で向ける装置として使用される。例えば、エリア内でのエアロゾル散布ノズル３２２とエアロゾル配向ファン３２４の配向を変え、新しい表面１１０にアクセスするため、ベース部分３１０に対するヘッド部分３２０の配向は変更されうることに留意されたい。
【００６３】
エアロゾル散布ノズル３２２とエアロゾル配向ファン３２４の独立した動きは、処理に柔軟性をもたらす。例えば、エアロゾル散布ノズル３２２によって生成される除染剤飛沫３１７の噴煙に対して、エアロゾル配向ファン３２４によって生成される気流の角度の変化は、この噴煙を異なる表面１１０に向ける。一方、移動式除染装置３００に複数組のエアロゾル散布ノズル３２２とエアロゾル配向ファン３２４が備わっている場合には、エアロゾル散布ノズル３２２とエアロゾル配向ファン３２４を（組にして）一緒に動かすことによって、その向きを一定に保つことができ、制御を単純化することができる。幾つかの実施例では、これらの組はすべて一緒に動かされる。
【００６４】
エアロゾル散布ノズル３２２及び／又はエアロゾル配向ファン３２４は、ヘッド部分３２０に対してその向きを変える。エアロゾル散布ノズル３２２とエアロゾル配向ファン３２４は、その向きを独立に、或いは組にして一緒に変更しうる。例えば、エアロゾル散布ノズル３２２とエアロゾル配向ファン３２４の一方又は両方は、ヘッド部分３２０に対して、また、中心軸３０９に対して（独立に、或いは一緒に）傾斜するように動作可能でありうる。ヘッド部分３２０は傾斜機能をサポートするためドーム形状を有してもよく、これによって（例えば、それぞれの側に９０°或いは１８０°となる）大きな傾斜角が可能になる。更には、ヘッド部分３２０のドーム形状は、ヘッド部分３２０の周囲の気流を助け、除染剤３１が（散布後に）ヘッド部分３２０の上又は周囲に集まるのを防止する。
【００６５】
エアロゾル配向ファン３２４はヒーター３２６を備えてもよい。ヒーター３２６はエリア１００の温度を上げるために、或いは、より具体的にはファン３２４によって配向された空気の温度を上げるために使用される。例えば、ある種の除染剤の効率は温度に依存する。更には、温度を上げることによって、除染処理を促進し、除染剤の供給を減らし、表面１１０に残る除染剤の蒸発を促し、また、その他の目的を促進することができる。
【００６６】
エアロゾル散布ノズル３２２は、散布時に除染剤３１５に静電気を与えるように動作可能な静電帯電装置３２５を備えてもよい。具体的には、除染剤飛沫３１７は静電気が帯電し、これにより除染剤飛沫３１７は表面１１０により速く付着するようになる。その結果、除染に必要な時間は短縮され、除染処理は迅速化され、散布される除染剤の量は減らされる可能性がありうる。
【００６７】
移動式除染装置３００は、例えば、遠隔装置２１０に移動式除染装置３００を接続するように動作可能なコネクタ３１９を含むことができる。図２Ａ及び図２Ｂを参照して上述されているように、このような接続にはテザー２１９が使用される。作業中、テザー２１９はコネクタ３１９に接続され、電力、圧縮空気、及び／又は除染剤３１５の供給に使用される。幾つかの実施例では、テザー２１９はデータを転送するため、及び／又は他の同様な作業を行うために使用されうる。
【００６８】
移動式除染装置３００は、移動式除染装置３００上に除染剤３１５を保存するように動作可能な除染剤貯蔵モジュール３１４を備えることができる。この特徴によりテザーは必要なくなり、移動式除染装置３００はエリア１００内でより操作しやすくなる。
【００６９】
移動式除染装置３００は、移動式除染装置３００に搭載された除染剤２１６を加圧するためのコンプレッサを備えうる。具体的には、コンプレッサは、ノズル３２２を介して除染剤３１５を散布するのに十分な圧力を供給するように動作可能である。
【００７０】
移動式除染装置３００は、限定するものではないが、生物学センサ３２８ａ、化学センサ３２８ｂ、温度センサ３２８ｃ、湿度センサ３２８ｄ、カメラ３２８ｅなどのうちの一又は複数を含みうるセンサ３２８を備えうる。センサ３２８はエリア特性１０２を取得するように動作しうる。生物学センサ３２８ａは、バイオ認識コンポーネント及びバイオトランスデューサコンポーネントを含みうる。バイオレセプタなどの認識コンポーネントは、注目している検体と相互作用する生体分子を使用しうる。この相互作用は、試料中のターゲット検体の存在量に比例する測定可能な信号を出力する、バイオトランスデューサによって測定されうる。化学センサ３２８ｂは、触媒ビーズセンサ、化学的電界効果トランジスタ、電気化学ガスセンサ、赤外線点センサ、及びイオン選択電極を含みうる。温度センサ３２８ｃの実施例は、赤外線温度計、抵抗温度計、サーミスタ、及び熱電対を含む。湿度計又はヒューミスタ（ｈｕｍｉｓｔｏｒ）は、湿度センサ３２８ｄとして使用されうる。
【００７１】
移動式除染装置３００は、例えば、図２Ａ及び図３Ａに概略的に示したように、装置コントローラ３０２を備える。代替的に、移動式除染装置３００は、すべての命令を遠隔装置から受信し、それ自体の装置コントローラ３０２を有さなくてもよい。装置コントローラ３０２がある場合、装置コントローラ３０２は、エリア特性１０２に基づいてエアロゾル散布パラメータ３０５を決定するように動作しうる。更には、装置コントローラ３０２は、エアロゾル散布ノズル３２２、エアロゾル配向ファン３２４、及び移動モジュール３１２など、移動式除染装置３００の他の様々なコンポーネントの作業を制御するように動作可能である。移動式除染装置３００はまた、装置コントローラ３０２又は独立型の装置の一部となりうる、通信モジュール３０６及び／又はデータベース３０４を含みうる。
【００７２】
装置コントローラ３０２は、一又は複数のコンピュータを実装するために使用されうる。また、プロセッサ装置、通信フレームワーク、メモリ、固定記憶装置、通信モジュール、入出力（Ｉ／Ｏ）装置、及びディスプレイを含みうる。通信フレームワークはバスシステムの形態を取りうる。プロセッサ装置は、メモリに読み込まれうるソフトウェアに対する命令を実行する役割を果たす。プロセッサ装置は、特定の実装に応じて、幾つかのプロセッサ、マルチプロセッサコア、又は他の何らかの種類のプロセッサであってもよい。メモリ及び固定記憶装置は記憶デバイスの例で、例えば、限定するものではないが、データ、機能的な形態のプログラムコードなどの情報、及び／又は他の適切な情報を一時的に及び／又は永続的に保存するように動作可能な、ハードウェア装置になりうる。これらの実施例で、メモリは、例えばランダムアクセスメモリ、又は任意の他の適切な揮発性或いは不揮発性の記憶デバイスであってもよい。固定記憶装置は、ハードドライブ、フラッシュメモリ、書換え型光ディスク、書換え可能磁気テープ、又はこれらの任意の組み合わせであってもよい。幾つかの実施例では、（エリア特性１０２を含みうる）データベース３０４は固定記憶装置に保存される。装置コントローラ３０２の入出力装置は、他の装置との間でのデータの入出力に使用されうる。例えば、入出力装置は、キーボード、マウス、及び／又は他の任意の好適な入力装置を通じて、ユーザ入力のための接続を提供しうる。
【００７３】
移動式除染装置３００への命令、又は、より具体的に、装置コントローラ３０２、オペレーティングシステム、アプリケーション及び／又はプログラムなどは、通信フレームワークを介してプロセッサ装置と通信を行う記憶デバイスに配置されうる。種々の実施形態の処理は、メモリなどに配置されうるコンピュータ実装命令を使用して、プロセッサ装置によって実施されうる。これらの命令は、プロセッサ装置内のプロセッサによって読み取られ実行されうる、プログラムコード、コンピュータ使用可能プログラムコード、又はコンピュータ可読プログラムコードと呼ばれる。種々の実施形態のプログラムコードは、メモリ又は固定記憶装置などの種々の物理的な記憶媒体、又はコンピュータ可読記憶媒体上に具現化されうる。プログラムコードは、選択的に着脱可能なコンピュータ可読媒体上に機能的な形態で配置され、かつ、プロセッサ装置による実行のために、装置コントローラに読込まれるか、又は送信されうる。これらの例示的な実施例では、コンピュータ可読記憶媒体は、プログラムコードを伝搬させるか又は送信する媒体というよりはむしろ、プログラムコードを記憶するために使用される物理的な又は有形の記憶デバイスである。
【００７４】
代替的には、プログラムコードは、コンピュータ可読信号媒体を使用して、装置コントローラ３０２に送信されうる。コンピュータ可動信号媒体は、例えば、プログラムコードを含む伝播データ信号でありうる。例えば、コンピュータ可読信号媒体は、電磁信号、光信号、及び／又は他の任意の適切な種類の信号でありうる。これらの信号は、無線通信リンク、光ファイバケーブル、同軸ケーブル、有線などの通信リンク、及び／又は他の任意の適切な種類の通信リンクによって伝送されうる。
【００７５】
図３Ｃは、幾つかの実施例に従って、移動式除染装置３００の様々なコンポーネントの中での情報の流れの概略図である。センサ３２８などの入力コンポーネントは、エリア特性１０２を含む情報を装置コントローラ３０２に提供する。例えば、生物学センサ３２８ａ及び化学センサ３２８ｂは、エリア１００内の汚染物質の検出に使用されてもよく、検出した汚染物質に関する情報（エリア特性１０２）を装置コントローラ３０２に提供する。温度センサ３２８ｃ及び湿度センサ３２８ｄはそれぞれ、エリア１００内の温度と湿度を測定するために使用されうる。カメラ３２８ｅは、エリア内での、及び／又移動式除染装置３００に対する様々な表面１００の向きを決定するため、エリア１００の画像を撮影してもよい。
【００７６】
装置コントローラ３０２は、通信モジュール３０６及び／又はデータベース３０４から情報を受信する。データベース３０４は、図２Ａにエリア情報として示したエリア１００の一又は複数の特性の少なくとも一部を保存するために使用可能である。換言するならば、エリア特性１０２の少なくとも一部は、移動式除染装置３００に局所的に保存される。このような特性の一例がエリアレイアウトである。付加的な特性は、移動式除染装置３００に送信されうる、及び／又は移動式除染装置３００によって取得されうる。通信モジュール３０６は、遠隔装置２１０及び／又は他の移動式除染装置３００などの他の装置と情報（エリア特性１０２及び／又は散布パラメータ３０５）を交換するために使用される。
【００７７】
装置コントローラ３０２は、通信モジュール３０６及び／又はデータベース３０４と共に、１つのコンピュータシステムに統合されうる。コンピュータシステムの様々な実施例及び特徴は、図３Ｃを参照して以下に提示される。
【００７８】
装置コントローラ３０２が散布パラメータ３０５を決定すると、以下で更に説明されるように、これらのパラメータは、エアロゾル散布ノズル３２２及びエアロゾル配向ファン３２４など、移動式除染装置３００の様々なコポーネントを制御するために使用される。
【００７９】
本開示は下記の条項も含むが、これらの条項は、特許請求の範囲と混同すべきではない。
【００８０】
条項１．  エリアを除染するための方法であって、前記方法は、
エアロゾル散布ノズル（３２２）とエアロゾル配向ファン（３２４）を備える移動式除染装置（３００）を前記エリア（１００）内に配置すること、
エリア特性（１０２）に基づいて、前記移動式除染装置（３００）のエアロゾル散布パラメータを決定すること、
前記エアロゾル散布ノズル（３２２）を使用して、前記エアロゾル散布パラメータ（３０５）に従って、除染剤飛沫（３１７）を含むエアロゾルの形態で散布される除染剤（３１５）を前記エリア（１００）内に散布すること、及び、
エアロゾル配向ファン（３２４）を使用して、前記エアロゾル散布パラメータ（３０５）に従って、前記除染剤飛沫（３１７）を前記エリア（１００）内の表面に向けること
を含む方法。
【００８１】
条項２．  前記エアロゾル散布パラメータ（３０５）を決定することは、除染剤特性に基づいて更に実行される、条項１に記載の方法。
【００８２】
条項３．  前記エアロゾル散布パラメータ（３０５）を決定することは、湿度、温度、汚染の種類、及び前記エリア内の前記表面（１１０）の向きのうちの少なくとも１つを含むエリア特性（１０２）を取得することを含む、条項１又は２に記載の方法。
【００８３】
条項４．  前記エリア特性（１０２）は、前記移動式除染装置（３００）のセンサ（３２８）を使用して取得される、条項３に記載の方法。
【００８４】
条項５．  前記エリア特性（１０２）は、前記移動式除染装置（３００）のデータベース（３０４）に保存される、条項３又は４に記載の方法。
【００８５】
条項６．  前記エアロゾル散布パラメータ（３０５）を決定することは更に、前記エリア特性（１０２）を設定範囲内に変更することを含む、条項１から５のいずれか一項に記載の方法。
【００８６】
条項７．  前記エリア特性（１０２）を変更することは、遠隔装置（２１０）を前記移動式除染装置（３００）の外部で操作することを含む、条項６に記載の方法。
【００８７】
条項８．  前記エリア特性（１０２）を変更することは更に、前記移動式除染装置（３００）から前記遠隔装置（２１０）へ制御命令を送信することを含む、条項７に記載の方法。
【００８８】
条項９．  前記遠隔装置（２１０）は、前記エリア（１００）の加熱換気空調（ＨＶＡＣ）装置である、条項８又は９に記載の方法。
【００８９】
条項１０．  前記エアロゾル散布パラメータ（３０５）を決定することは、前記移動式除染装置（３００）の装置コントローラ（３０２）を使用して実行される、条項１から９のいずれか一項に記載の方法。
【００９０】
条項１１．  前記エアロゾル散布パラメータ（３０５）を決定することは、前記移動式除染装置（３００）から遠隔的に実行されて、前記移動式除染装置（３００）に送信される、条項１から１０のいずれか一項に記載の方法。
【００９１】
条項１２．  前記エリア（１００）内で前記移動式除染装置（３００）を移動することを更に含む、条項１から１１のいずれか一項に記載の方法。
【００９２】
条項１３．  前記エリア（１００）内で前記移動式除染装置（３００）を移動することは、前記除染剤（２１６）の散布中に実行される、条項１２に記載の方法。
【００９３】
条項１４．  前記エリア内で前記移動式除染装置（３００）を移動することは、前記エリア特性（１０２）に基づいて自動的に実行される、条項１２又は１３に記載の方法。
【００９４】
条項１５．  前記エアロゾル散布パラメータ（３０５）を変更することを更に含む、条項１から１４のいずれか一項に記載の方法。
【００９５】
条項１６．  前記エアロゾル散布パラメータ（３０５）を変更することは、
・前記エリアに対する前記エアロゾル散布ノズル（３２２）の向き
・前記エリアに対する前記エアロゾル配向ファン（３２４）の向き
・ヒーターの出力、ファン速度、又は散布速度
のうちの一又は複数を変更することを含む、条項１５に記載の方法。
【００９６】
条項１７．  前記エアロゾル散布パラメータ（３０５）を変更することは、前記エアロゾル散布ノズル（３２２）の向きを変更すること、及び前記エアロゾル配向ファン（３２４）の向きを変更することを共に含む、条項１６に記載の方法。
【００９７】
条項１８．  前記エアロゾル散布ノズル（３２２）の向き、及び前記エアロゾル配向ファン（３２４）の向きを共に変更することは、前記エリア（１００）内の前記移動式除染装置（３００）を移動することを含む、条項１７に記載の方法。
【００９８】
条項１９．  前記エアロゾル散布ノズル（３２２）の向き、及び前記エアロゾル配向ファン（３２４）の向きを共に変更することは、前記移動式除染装置（３００）のベース部分（３１０）に対する前記移動式除染装置（３００）のヘッド部分の向きを変更することを含み、前記ヘッド部分（３２０）はエアロゾル散布ノズル（３２２）と前記エアロゾル配向ファン（３２４）を備える、条項１７又は１８に記載の方法。
【００９９】
条項２０．  前記ベース部分（３１０）に対して前記ヘッド部分（３２０）の向きを変えることは、前記ベース部分（３１０）に対して前記ヘッド部分（３２０）を引き上げること、又は前記ベース部分（３１０）に対して前記ヘッド部分（３２０）を回転することを含む、条項１９に記載の方法。
【０１００】
条項２１．  前記除染剤飛沫（３１７）を前記エリア（１００）内の前記表面に向けることは、前記エアロゾル配向ファン（３２４）を使用して、前記除染剤飛沫（３１７）の周囲に乱気流を形成することを含む、条項１から２０のいずれか一項に記載の方法。
【０１０１】
条項２２．  前記エリア（１００）内に前記除染剤（３１５）を散布することと、前記除染剤飛沫（３１７）を前記エリア（１００）の表面に向けることとは時間的に重なる、条項１から２１のいずれか一項に記載の方法。
【０１０２】
条項２３．  前記エアロゾル散布パラメータ（３０５）を決定することは、前記エリア（１００）内の前記表面（１１０）の向きに基づいて、前記エアロゾル散布ノズル（３２２）又は前記エアロゾル配向ファン（３２４）のうちの少なくとも１つの向きを決定することを含む、条項１から２２のいずれか一項に記載の方法。
【０１０３】
条項２４．  前記エアロゾル散布パラメータ（３０５）を決定することは、前記エリア（１００）内の前記表面（１１０）の向きに基づいて、前記エアロゾル散布ノズル（３２２）と前記エアロゾル配向ファン（３２４）の両方の向きを決定することを含む、条項１から２３のいずれか一項に記載の方法。
【０１０４】
条項２５．  前記移動式除染装置（３００）のカメラ（３２８ｅ）を使用して、又は前記移動式除染装置（３００）のデータベース（３０４）から、前記エリア（１００）内の前記表面（１１０）の前記向きを取得することを更に含む、条項２３又は２４に記載の方法。
【０１０５】
条項２６．  前記エアロゾル散布パラメータ（３０５）は、エアロゾル配向ファン（３２４）によって配向された空気の温度傾斜プロファイルを含む、条項１から２５のいずれか一項に記載の方法。
【０１０６】
条項２７．  前記温度傾斜プロファイルは直線的である、条項２６に記載の方法。
【０１０７】
条項２８．  前記エリア（１００）内に前記除染剤（３１５）を散布している間に、前記移動式除染装置（３００）の前記除染剤（３１５）を供給することを更に含む、条項１から２７のいずれか一項に記載の方法。
【０１０８】
条項２９．  前記エリア（１００）は航空機の客室である、条項１から２８のいずれか一項に記載の方法。
【０１０９】
条項３０．  エリア（１００）を除染するための移動式除染装置（３００）であって、
前記エリア（１００）の周辺で前記移動式除染装置（３００）を移動するように動作可能な移動モジュール（３１２）を備えるベース部分（３１０）と、
前記ベース部分（３１０）に動作可能に連結されたヘッド部分（３２０）と、
前記エリア（１００）内で除染剤（３１５）を除染剤飛沫（３１７）を含むエアロゾルの形態で散布するように動作可能なエアロゾル散布ノズル（３２２）と、
前記除染剤飛沫（３１７）を前記エリア（１００）の表面（１１０）に向けるように動作可能なエアロゾル配向ファン（３２４）と
を備える移動式除染装置（３００）。
【０１１０】
条項３１．  エリア特性に基づいてエアロゾル散布パラメータ（３０５）を決定し、前記エアロゾル散布ノズル（３２２）、前記エアロゾル配向ファン（３２４）、及び前記移動モジュール（３１２）の作業を制御するように動作可能な装置コントローラ（３０２）を更に備える、条項３０に記載の移動式除染装置。
【０１１１】
条項３２．  前記エリア特性（１０２）の少なくとも一部を含むデータベース（３０４）を更に含む、条項３１に記載の移動式除染装置。
【０１１２】
条項３３．  生物学センサ（３２８ａ）、化学センサ（３２８ｂ）、温度センサ（３２８ｃ）、湿度センサ（３２８ｄ）、及びカメラ（３２８ｅ）のうちの一又は複数からなる群から選択されるセンサ（３２８）を更に含み、前記センサ（３２８）は前記エリア特性を取得し、前記エリア特性（１０２）を前記装置コントローラ（３０２）へ送信するように動作可能である、条項３２又は３３に記載の移動式除染装置。
【０１１３】
条項３４．  前記移動モジュール（３１２）は、前記エリア（１００）から取得された前記エリア特性（１０２）に基づいて、前記装置コントローラ（３０２）によって制御可能である、条項３１から３３のいずれか一項に記載の移動式除染装置。
【０１１４】
条項３５．  前記エアロゾル散布ノズル（３２２）及び前記エアロゾル配向ファン（３２４）は、少なくとも前記ベース部分（３１０）に対して可動である、条項３０から３４のいずれか一項に記載の移動式除染装置。
【０１１５】
条項３６．  前記エアロゾル散布ノズル（３２２）及び前記エアロゾル配向ファン（３２４）は、前記移動式除染装置（３００）の中心軸に対して枢動可能な、条項３５に記載の移動式除染装置。
【０１１６】
条項３７．  前記エアロゾル散布ノズル（３２２）及び前記エアロゾル配向ファン（３２４）は、前記移動式除染装置（３００）の中心軸の周りに回転可能な、条項３５に記載の移動式除染装置。
【０１１７】
条項３８．  前記エアロゾル散布ノズル（３２２）及び前記エアロゾル配向ファン（３２４）は、前記ヘッド部分（３２０）の上に位置決めされる、条項２５から３７のいずれか一項に記載の移動式除染装置。
【０１１８】
条項３９．  前記エアロゾル散布ノズル（３２２）及び前記エアロゾル配向ファン（３２４）は、少なくとも前記ヘッド部分（３２０）に対して可動である、条項３８に記載の移動式除染装置。
【０１１９】
条項４０．  前記ヘッド部分（３２０）は前記ベース部分（３１０）に対して引き上げ可能である、条項３０から３９のいずれか一項に記載の移動式除染装置。
【０１２０】
条項４１．  前記ヘッド部分（３２０）は前記ベース部分（３１０）に対して回転するように動作可能である、条項３０から３９のいずれか一項に記載の移動式除染装置。
【０１２１】
条項４２．  電力線、送気管、通信線、及び除染剤供給管のうちの一又は複数からなる群から選択されるテザー（２１９）を接続するためのコネクタ（３１９）を更に備える、条項３０から４１のいずれか一項に記載の移動式除染装置。
【０１２２】
条項４３．  除染剤貯蔵モジュール（３１４）を更に備える、条項３０から４２のいずれか一項に記載の移動式除染装置。
【０１２３】
条項４４．  前記エリア（１００）のシステムと通信するための通信モジュール（３０６）を更に備える、条項３０から４３のいずれか一項に記載の移動式除染装置。
【０１２４】
条項４５．  条項１から２９のいずれか一項による方法で使用するための、条項３０から４４のいずれか一項に記載の移動式除染装置。
【０１２５】
条項４６．  条項１から２９のいずれか一項に記載の移動式除染装置を備える航空機。
【０１２６】
除染方法
図４は、本開示による、エリア１００の除染のための方法４００に対応する処理フロー図である。方法４００は、図４のブロック４１０で概略的に示したように、エリア１００に移動式除染装置３００を配置することを含みうる。移動式除染装置３００は、少なくとも除染が完了するまで、オペレータをエリア１００の潜在的な汚染物質に曝すことなく、エリア１００に自律的に配置するための移動モジュール３１２を使用しうる。移動式除染装置３００は、配置する前に航空機のパレットコンテナ（ＰＣ）に保存されうる。代替的に、移動式除染装置３００は除染のため航空機に持ち込まれてもよい。
【０１２７】
方法４００は好ましくは、図４のブロック４２０で概略的に示したように、移動式除染装置３００のためのエアロゾル散布パラメータ３０５を決定することを含む。エアロゾル散布パラメータ３０５は、エリア特性１０２に基づいて決定されうる。効果的な除染を実現するため、様々な異なるエリア特性１０２が考慮される。エリア特性１０２の幾つかの例には、湿度、温度、汚染物質の種類、エリア１００内の表面１１０の向きなどが含まれる。異なる特性を有するエリアは、異なるエアロゾル散布パラメータを用いて除染される。更には、エリア特性１０２はエリア１００の部分によって異なることがある。エリアの遠く離れた表面にアクセスするため（例えば、飛沫３１７がこのような表面に達する前に沈降するのを防ぐため）、より小さな除染剤飛沫３１７、及び／又はより速い気流が使用されうる。エアロゾル散布パラメータ３０５の決定時には、エリア特性１０２は総合的に考慮されうる。例えば、除染剤３１５の選択には、湿度、温度、及び汚染物質の種類の組み合わせが使用される。
【０１２８】
作業４２０でのエアロゾル散布パラメータ３０５の決定はまた、除染剤３１５、又は、より具体的に、選択された除染剤３１５の一又は複数の特性に基づいて実行されうる。除染剤特性の幾つかの例には、密度、表面張力、組成などが含まれる。これらの特性は典型的に、エリア１００での除染剤３１５の散布に影響を与える。例えば、除染剤３１５の種類を別のものに切り換えると、エアロゾル散布パラメータ３０５は効果的に変化する。この実施例では、エアロゾル散布パラメータ３０５は作業４２０において決定される。
【０１２９】
作業４２０でのエアロゾル散布パラメータ３０５の決定は、移動式除染装置３００の装置コントローラ３０２を用いて実行される。更に、作業４２０の幾つか又はすべての態様は、移動式除染装置３００から遠隔的に実行され、移動式除染装置３００に送信されうる（例えば、エアロゾル散布パラメータ３０５をすべて揃える）。例えば、エアロゾル散布パラメータ３０５の最初の一組は移動式除染装置３００に送信され、更に、現場で得られたエリア１００の特性１０２に基づいて、移動式除染装置３００で修正されうる。
【０１３０】
作業４２０でのエアロゾル散布パラメータ３０５の決定は、図４のブロック４２２で概略的に示したように、エリア特性１０２を取得することを含む。エリア特性１０２は、移動式除染装置３００のセンサ３２８を使用して取得されてもよく、或いは移動式除染装置３００に送信されてもよい。センサ３２８を使用してエリア特性１０２を取得することにより、エリア１００に関する一部の情報が未知であっても、エリア１００に移動式除染装置３００を配置し、効果的な除染を実行することが可能になる。例えば、エリア１００の温度は最初は未知であっても、除染中に変化しうる。しかも、温度は除染の効果に大きな影響を及ぼす。温度は、移動式除染装置３００によって、又はより具体的には、移動式除染装置３００のセンサによって現場でモニタされる。作業４２２の別の実施例は、移動式除染装置３００のカメラを使用して、又は移動式除染装置３００のデータベースから、エリア１００の表面１１０の向きを取得することである。
【０１３１】
エリア１００の一又は複数の汚染物質の提示は、作業４２２中に実行されうる。汚染物質の幾つかの例には、ウィルス、バクテリア、プリオン及び菌類などのターゲットとなる病原菌及び生物学的因子が含まれる。センサは、インフルエンザ、エボラウィルス、結核、出血熱、及び／又は他の何らかの病原菌の特定の株を識別するように構成されうる。作業４２２は、汚染物質の有無に加えて、これらの汚染物質の濃度及びその他の特性の検出を含みうる。作業４２２は移動式除染装置３００上で実行されてもよく、或いは何らかの情報が遠隔装置２１０に送信されてもよい。
【０１３２】
作業４２２はオプションである。移動式除染装置３００の作業に必要となるエリア１００のすべての特性１０２は、移動式除染装置３００（例えば、移動式除染装置３００のデータベース３０４）に保存されてもよく、及び／又は（例えば、遠隔装置２１０から）移動式除染装置３００に送信されてもよい。例えば、移動式除染装置３００のデータベース３０４は、エリアのレイアウト、表面の状態、湿度や温度などの予測される環境条件と共に、事前に読み込まれていてもよい。一部の特性１０２は、移動式除染装置３００がエリア１００に配置された後に（例えば、センサ３２８を使用して）取得されうるが、一方、付加的な特性１０２は移動式除染装置３００に保存されてもよく、及び／又は移動式除染装置３００に送信されてもよい。更には、移動式除染装置３００がエリア１００に配置された後に（例えば、センサ３２８を使用して）、すべての特性１０２が取得されてもよい。換言するならば、移動式除染装置３００は、配置の時点ではエリア１００に関する情報を何も有していないことがあり、このような情報は配置後も移動式除染装置３００には送信されない。
【０１３３】
作業４２０は、表面１１０の向きに基づいて、エアロゾル散布ノズル３２２の向き、及び／又はエアロゾル配向ファン３２４の向きを決定することを含みうる。この向きの関係性は、すべての表面１１０が効果的な除染のための適切な量の除染剤３１５を確実に得られるように使用されうる。更に、この向きの関係性は、（例えば、移動式除染装置３００に近接した）表面が、これらの表面に好ましくない影響を及ぼしうる過剰な量の除染剤３１５を得ることがないように保証する。
【０１３４】
作業４２０でのエアロゾル散布パラメータ３０５の決定は、図４のブロック４２４で概略的に示されているように、エリア１００の一又は複数の特性１０２を変更することを含みうる。例えば、最初に取得した特性１０２が効果的な除染に適さないこともありうる。具体的な実施例として、エリア１００の温度が除染剤３１５に対して低すぎるため、効果的に反応して汚染物質を中和することができないことがある。このような最初に取得した特性１０２は、作業４２４中に変更されることがありうる。上記の温度の例に戻ると、エリア１００の温度は、作業４１０で移動式除染装置３００を配置した後、また、作業４４０で除染剤を散布する前に高められてもよい。例えば、エアロゾル散布パラメータ３０５は、エアロゾル配向ファン３２４によって配向された空気の温度傾斜プロファイルを含みうる。温度傾斜プロファイルは直線的であってもよい。
【０１３５】
図４に示した作業は重なってもよい。例えば、作業４２４での特性の変更は、作業４２２でのこれらの特性の取得中に実行されてもよい。特に、エリア特性１０２は連続的にモニタされうる。特性１０２が一又は複数の許容しうる範囲内で変動する場合には、作業４２４はエリア特性１０２を許容しうる範囲内に戻すために実行されうる。特に、作業４２４はエリア特性１０２がモニタされている間に実行されてもよく、結果的に作業４２２と作業４２４は重なりうる。この実施例では、作業４２２は制御を作業４２４に戻すように行われうる。同一の実施例で、又は別の実施例で、作業４４０で除染剤３１５を散布中に、エリア特性１０２は変更が必要となることがありうる。例えば、除染剤の散布は（例えば、除染剤３１５の蒸発によって）環境の温度を低下させうる。効果的な除染を維持するためには、温度を上昇させる必要があり、エリア１００を加熱する必要がある。（作業４２４中にエリア特性１０２を変化させる）この加熱は、（温度が依然として許容しうる範囲内にあると仮定して）除染剤３１５の散布を停止することなく実行されうる。
【０１３６】
一般的に、作業４２０中のエアロゾル散布パラメータの決定は（或いは、より具体的に、作業４２２中にこれらの特性を取得することは）、作業４４０で除染剤を散布している間に、繰り返し又は連続的に実行されうる。例えば、エアロゾル散布ノズル３２２及びエアロゾル配向ファン３２４の向きは、場合によっては、除染剤３１５の散布中に再評価及び変更が必要になることがある。別の実施例では、例えば、図５Ａに概略的に示されているように、除染剤飛沫３１７はカメラ３２８ｅを使用して観測されうる。表面１１０上でのこの除染剤飛沫３１７の観測は、表面が飛沫３１７で（例えば、十分に、或いは十分ではないが）覆われていることを示している。更に、この観測は実際の除染プロセスを示すものとして使用されうる。例えば、除染は表面１１０の疎水性を変化させるため、除染剤飛沫３１７は除染状態に応じて、表面１１０上で異なる形状を有する。
【０１３７】
作業４２４での一又は複数の特性１０２の変更に戻ると、このような変更は移動式除染装置３００の一又は複数のコンポーネントを使用して実行されうる。例えば、エアロゾル配向ファン３２４には、エリア１００の温度を上げるため、作業４２４で使用されうるヒーター３２６を備えていてもよい。同じ実施例、或いは別の実施例では、図４のブロック４２６で概略的に示されているように、作業４２４は遠隔装置２１０を操作することを含む。遠隔装置２１０は移動式除染装置３００の外部にある。具体的には、作業４２６は、移動式除染装置３００から遠隔装置２１０へ制御命令を送ることを含みうる。遠隔装置２１０はこれらの制御命令に応答し、それ自体の作業を実行してエリア１００の一又は複数の特性１０２を変更する。
【０１３８】
作業４２０中に決定されるエアロゾル散布パラメータ３０５は、エアロゾルの状態で散布するための除染剤３１５の特定、エリア１００内の空気の温度、エリア１００内の空気の湿度、エアロゾル散布ノズル３２２からの除染剤３１５の散布とエアロゾル配向ファン３２４ならの空気の吹き出しの相対的なタイミング、散布の持続時間など、のうちの少なくとも１つを含む。例えば、エアロゾル散布パラメータ３０５は、エリア１００内の空気の相対湿度を約４０％から８０％の間、例えば約６０％に規定しうる。上述のように、エアロゾル散布パラメータ３０５は、検出された汚染物質の種類によって異なりうる。更に、最初に決定したエアロゾル散布パラメータ３０５はその後変更されうる。
【０１３９】
作業４２０中に（エアロゾル散布パラメータ３０５の一部として）選択される除染剤３１５は、一又は複数の酸、及び／又は一又は複数の過酸化物を含みうる。例えば、除染剤３１５は過酸化水素を含みうる。除染剤３１５中の過酸化水素の濃度は、１ｗｔ％未満、場合によっては０．０１ｗｔ％未満になりうる。過酸化水素は、華氏約１００度から華氏約１８０度の間など、高い温度と組み合わせた場合には、このような低濃度でもなお効果を発揮しうる。幾つかの実施例では、除染剤３１５は酢酸を含む。酢酸の濃度は、１ｗｔ％未満、場合によっては０．２ｗｔ％未満となりうる。
【０１４０】
ユタ州オレムのＳＢＩＯＭＥＤ  ＬＬＣから市販されているＳＴＥＲＩＰＬＥＸ（商標）ＨＣ溶液など、様々な処方済み除染剤３１５が使用されうる。ＳＴＥＲＩＰＬＥＸ（商標）ＨＣ溶液は、０．０３ｗｔ％の銀、１９ｗｔ％のグリセロール、０．０００４ｗｔ％のソルビトール、１０ｗｔ％のエタノール、０．０３ｗｔ％の過酸化水素、０．２５ｗｔ％のペルオキシ酢酸、０．１９ｗｔ％の酢酸、及び７０ｗｔ％の水を含む。ＳＴＥＲＩＰＬＥＸ（商標）ＨＣ溶液又は他の同様の溶液は、５０ｗｔ％未満、３０ｗｔ％未満、場合によっては２０ｗｔ％未満の水で希釈されうる。幾つかの実施例では、除染剤３１５が供給され、移動式除染装置３００で処方されてもよい。
【０１４１】
エリア１００内の空気の温度は華氏約１００度から華氏約１８０度であってよく、より具体的には華氏約１２０度から華氏約１４０度の間となりうる。検出された汚染物質に対する除染剤３１５の効率を高めるため、この温度は具体的に選択されうる。特定の温度を選択するための、或いはより一般的に、特定の温度プロフィールを選択するためのその他の検討事項は、航空機コンパートメントを通って流れる加熱空気の持続時間を最小限に抑えることと、決定された除染剤３１５の濃度を最小限に抑えることである。
【０１４２】
温度プロファイル５０２は、例えば、図５Ｂに示したように、除染プロセスの間に変更されうる。図５Ｂはまた、除染剤の濃度プロファイル５０４を示している。この状況では、エアロゾル散布パラメータ３０５は、変更のタイミング及び／又は温度傾斜プロファイルを含みうる。温度傾斜プロファイルは直線的である。例えば、菌胞子を成長させるには、最初に低めの温度が使用されうるが、菌胞子を殺菌するには、その後除染剤３１５と共に高めの温度が使用されうる。
【０１４３】
図４にブロック４３０で概略的に示したように、方法４００は、移動式除染装置３００のエアロゾル散布パラメータ３０５を変更することを含みうる。例えば、移動式除染装置３００の現在の構成が、作業４２０中に決定された散布パラメータと異なる場合には、移動式除染装置３００は、決定されたパラメータに従って再構成されうる。換言するならば、移動式除染装置３００のエアロゾル散布パラメータ３０５の現在の変更が変更される。幾つかの実施例では、作業４２０が繰り返され、新しい散布パラメータ３０５が決定されるか、移動式除染装置３００によって現在使用されているものとは異なるものになりうる。これらの実施例では、作業４３０も実行される。幾つかの実施例では、作業４３０は作業４４０と重なり、例えば、エアロゾル散布パラメータ３０５の変更は、除染剤３１５の散布中に実行される。
【０１４４】
作業４３０は、（エリア１００に対する）エアロゾル散布ノズル３２２の向きを変えること、（エリア１００に対する）エアロゾル配向ファン３２４の向きを変えること、ヒーター３２６の出力を変更すること、エアロゾル配向ファン３２４の速度を変更すること、除染剤３１５の散布速度を変更すること、異なる飛沫サイズを実現するため散布条件を変更すること、除染剤３１５の組成を変更すること、などを含みうる。例えば、移動式除染装置３００がエリア１００の１つの部分の除染を完了すると、別の部分の除染に進むため、エアロゾル散布ノズル３２２の向き、及び、幾つかの実施例では、エアロゾル配向ファン３２４の向きが（エリア１００に対して）変更されうる。ファン３２４はノズルから除染される表面へ散布されるエアロゾルの配向を担っているため、移動式除染装置３００はエアロゾル散布ノズル３２２の向きとエアロゾル配向ファン３２４の向きとの間の特定の関係を維持しうる。エアロゾル散布ノズル３２２とエアロゾル配向ファン３２４のこの関係性（例えば、相対的な向き）は固定されうる。エアロゾル配向ファン３２４は具体的に、エアロゾル散布ノズル３２２によって生成された除染剤飛沫３１７の噴煙に向けられる。エアロゾル散布ノズル３２２に対する噴煙の位置が変化しない（例えば、除染剤３１５、除染剤３１５及び空気の流量が変化しない）場合には、エアロゾル散布ノズル３２２及びエアロゾル配向ファン３２４の向きは維持される。
【０１４５】
エアロゾル散布ノズル３２２とエアロゾル配向ファン３２４の関係は変化することがありうる。例えば、エアロゾル散布ノズル３２２に対する除染剤飛沫３１７の噴煙の位置は変化することがあり、エアロゾル配向ファン３２４は噴煙の新しい位置に再配向することが必要になることがありうる。更に、エアロゾル配向ファン３２４は、噴煙を別の場所、例えば、新しい表面に向けるように変更されてもよい。
【０１４６】
エアロゾル散布ノズル３２２とエアロゾル配向ファン３２４の向きを変更することは、移動式除染装置３００のベース部分３１０に対してヘッド部分３２０の向きを変更することを含みうる。具体的には、ヘッド部分３２０はエアロゾル散布ノズル３２２とエアロゾル配向ファン３２４を含んでも（また、支持しても）よい。換言するならば、ヘッド部分３２０がベース部分３１０に対して（及び、エリア１００に対して）その向きを変えるときには、これによって、エアロゾル散布ノズル３２２とエアロゾル配向ファン３２４もエリア１００に対してその向きを変える。例えば、ヘッド部分３２０はベース部分３１０に対して引き上げられてもよく、及び／又は回転されてもよい。図１Ｃ及び図１Ｄに示したように、航空機の頭上コンパートメント（例えば、手荷物入れ）にアクセスするため、ヘッド部分３２０は引き上げられることがある。更に、除染剤飛沫３１７が迅速に沈降する場合には、及び／又は遠くの表面を除染する場合には（例えば、除染剤飛沫３１７が近傍の表面に沈降する前に遠方の表面に達することができるように）、ヘッド部分３２０は引き上げられてもよい。
【０１４７】
以下で更に説明されるように、エリア１００内で移動式除染装置３００を移動することによって、ベース部分３１０はエリア１００に対してその向きを変えてもよい。これにより、エアロゾル散布ノズル３２２及びエアロゾル配向ファン３２４はエリア１００に対してその向きを変えることができる。このように、幾つかの例では、作業４６０は作業４３０の一部とみなされる。しかしながら、エリア１００内での移動式除染装置３００の移動は、エアロゾル散布パラメータ３０５に関連していないこともあり、例えば、移動式除染装置３００をエリア１００に配置する、或いはエリア１００から取り除くためのこともありうる。
【０１４８】
図４のブロック４４０で概略的に示したように、方法４００は、エリア１００内での除染剤３１５の散布に移行する。この作業は、エアロゾル散布パラメータ３０５に従って実行されうる。除染剤３１５は、移動式除染装置３００のエアロゾル散布ノズル３２２を使用して、除染剤飛沫３１７として散布される。
【０１４９】
図４のブロック４５０で概略的に示したように、方法４００は、除染剤飛沫３１７をエリア１００内の表面１１０に向ける作業に移行する。エアロゾル配向ファン３２４は、除染剤飛沫３１７を運ぶ気流の生成によるこの作業に使用されてもよい。気流は乱流であってもよい。いかなる特定の理論にも限定されるものではないが、乱流は、例えば層流よりも効果的にエアロゾルの沈降を抑制すると考えられている。エアロゾル配向ファン３２４は、乱流を生成するように動作可能であってもよい。更には、エアロゾル配向ファン３２４は、気流が散布直後に、例えば、エアロゾル散布ノズル３２２から０．５メートル以内、或いは更に０．２５メートル以内で除染剤飛沫３１７を捉えるように動作可能であってもよい。
【０１５０】
作業４５０はまた、外部の気流に関係するか、少なくとも外部の気流を考慮することがある。外部の気流はエリア１００内に存在しうる気流で、遠隔装置によって生成されうるが、移動式除染装置３００によって生成されることはない。換言するならば、エアロゾル配向ファン３２４は外部の気流には寄与しない。但し、移動式除染装置３００は、除染剤飛沫３１７を表面１１０に向けるため、エアロゾル配向ファン３２４によって生成される何らかの気流に加えて、このような外部の気流を利用してもよい。外部の気流は、エリア１００内に存在する場合、エリア特性１０２の一部として扱われてもよい。
【０１５１】
作業４５０でエリア１００内の除染剤飛沫３１７の向きを変えると、一部のエリア特性１０２の変化を引き起こすことがある。例えば、除染剤飛沫３１７の向きを変えると、エリア１００内の湿度、温度、気流、及び他の特性が変化しうる。このように、作業４２４は、作業４５０の一部とみなされうる。エリア１００内の除染剤飛沫３１７の向きを変えると一部のエリア特性１０２が変化しうることに気付くと、作業４２２中にエリア特性１０２の取得は繰り返し行われてもよく、或いはエリア特性１０２のこのような変化を連続的に取得されてもよく、必要であれば、エリア特性１０２は好ましい範囲内に戻るように変更してもよく、或いは変化に応じて新しいエアロゾル散布パラメータを決定してもよい。
【０１５２】
作業４４０でのエリア１００内の除染剤３１５の散布は、作業４５０で除染剤飛沫３１７を表面１１０に向けることと重なってもよい。具体的には、除染剤３１５がエアロゾル散布ノズル３２２によって散布されているときには、エアロゾル配向ファン３２４は常に動作していてよい。少なくとも除染剤３１５の散布の一部は、エアロゾル配向ファン３２４が動作していないときに行われてもよい。例えば、移動式除染装置３００に近い表面の除染は、作業４５０なしで行われてもよい。しかしながら、エリア１００の少なくとも一部の表面は、移動式除染装置３００から離れているため、或いは、エアロゾル散布ノズル３２２の散布方向に対する位置によって、作業４５０の恩恵に浴する。
【０１５３】
図４のブロック４６０で概略的に示されているように、方法４００は更に、エリア１００内で移動式除染装置３００を移動することを含む。この移動機能により、移動式除染装置３００はより大きなエリアを除染すること、及び／又は、エアロゾル散布ノズル３２２及びエアロゾル配向ファン３２４をエリア１００の表面１１０に向けることができる。エリア１００での移動式除染装置３００の移動は作業４６０中に行われ、一方、除染剤の散布は作業４４０中に行われる。
【０１５４】
作業４６０におけるエリア１００内での移動式除染装置３００の移動は、エリア特性１０２に基づいて自動的に実行されうる。例えば、移動式除染装置３００は、例えば、オペレータからなど、外部の支援なしで移動式除染装置３００が移動できるようにする移動モジュール３１２を含む。この特徴により、エリア１００内の潜在的な汚染物質及び／又は除染剤に人が曝されるのを回避することができる。
【０１５５】
図４のブロック４３５に示したように、方法４００は更に、圧搾空気、除染剤、電力、及び／又は移動式除染装置３００への制御命令を提供することを含みうる。例えば、除染剤３１５は移動式除染装置３００に供給されうる。より具体的には、除染剤３１５は、作業４４０でエリア１００内に除染剤３１５を散布している間に供給されてもよい。この除染剤のオンデマンド供給は、ローカルな保存の必要性をなくすことによって、移動式除染装置３００の重量を効果的に軽減する。除染剤３１５は、エリア１００内に延在するテザー２１９を使用して、移動式除染装置３００に供給されてもよい。テザー２１９により、移動式除染装置３００はエリア１００内を移動することができる。幾つかの実施例では、テザー２１９は、除染剤３１５の供給に加えて、或いはその代りに、圧搾空気、電力、及び／又は制御命令を提供するために使用されうる。制御命令は移動式除染装置３００に無線で（テザー２１９なしで）適用されてもよい。
【０１５６】
除染剤３１５が移動式除染装置３００にオンデマンドで供給されない場合には、除染剤３１５は移動式除染装置３００上の除染剤貯蔵モジュール３１４に保存されてもよい。エリア１００に対して必要とされる除染剤貯蔵モジュール３１４のサイズ及び除染剤３１５の量に応じて、移動式除染装置３００は、除染剤貯蔵モジュール３１４に除染剤３１５が追加される充填ステーションに戻るように動作可能である。    
【０１５７】
結論
前述の概念は、理解の明確化を目的としてやや詳細に説明されているが、上記の開示内容を読むと、付随する特許請求の範囲内で、ある一定の変更及び修正が実践されうることは明白であろう。処理、システム、及び装置の実装には多数の代替的な方法があることに、留意されたい。したがって、本書の実施例は例示的なものであり、限定的なものではないとみなされるべきである。
【図１Ａ】
2018149272.tif 000002
【図１Ｂ】
2018149272.tif 000003
【図１Ｃ】
2018149272.tif 000004
【図１Ｄ】
2018149272.tif 000005
【図２Ａ】
2018149272.tif 000006
【図２Ｂ】
2018149272.tif 000007
【図３Ａ】
2018149272.tif 000008
【図３Ｂ】
2018149272.tif 000009
【図３Ｃ】
2018149272.tif 000010
【図４】
2018149272.tif 000011
【図５Ａ】
2018149272.tif 000012
【図５Ｂ】
2018149272.tif 000013
【外国語明細書】
2018149272000001.pdf
2018149272000002.pdf
2018149272000003.pdf
2018149272000004.pdf